(57)【要約】【課題】バイタルセンサーの電池が無くなりそうな場合、患者端末装置の表示媒体や音声媒体によって電池交換を促すことのできる健康診断ネットワークシステムを提供する。【解決手段】患者端末１０１にはバイタルセンサー端子部２０７を備え、電池が無くなりそうな場合に、バイタルセンサー１０５とバイタルデータの通信を行う際、前記バイタルセンサー１０５から電池残量情報を伝送手段を用いて前記患者端末１０１へ送信し、前記患者端末１０１の報知手段によって前記情報を報知する構成を有しているので、バイタルセンサー１０５の電池が無くなりそうになっても、その旨の情報を患者端末１０１に報知することで、患者に電池を交換する機会を与えるので、例えば次回の使用時には慌てずにバイタルセンサー１０５を使用することが出来る。【選択図】図２
2008194358.tif 000002
【特許請求の範囲】
【請求項１】
血圧、体温などの生体情報を測定する電池駆動のバイタルセンサーと、バイタル情報を管理する患者端末と、医師が前記生体情報を閲覧して診断に供するための医師端末とから構成され、前記患者端末と、前記医師端末の双方の端末から転送された情報を蓄積するセンターサーバーを介して通信ネットワークで接続する健康診断ネットワークシステムであって、前記患者端末にはバイタルセンサー端子部を備え、電池が無くなりそうな場合に、前記バイタルセンサーとバイタルデータの通信を行う際、前記バイタルセンサーから電池残量情報を伝送手段を用いて前記患者端末へ送信し、前記患者端末の報知手段によって前記情報を報知する健康診断ネットワークシステム。
【請求項２】
前記患者端末にはバイタルセンサー端子部を備え、電池が無くなりそうな場合に、前記バイタルセンサーとバイタルデータの通信を行う際、前記バイタルセンサーから電池残量情報を有線、または無線を介して前記患者端末へ送信し、前記情報を表示手段によって表示、または音声出力手段によって音声で知らせる請求項１記載の健康診断ネットワークシステム。
【請求項３】
前記患者端末と、前記バイタルセンサーが有線で接続されている状態で、前記バイタルセンサーの電池が無くなった場合、前記バイタルセンサーの駆動電力は前記患者端末からの給電によって行う請求項１記載の健康診断ネットワークシステム。
【請求項４】
前記バイタルセンサーの駆動電力は前記患者端末からの給電によって行う際、前記患者端末へ前記バイタルセンサーの電池がない旨を表示手段によって表示、または音声出力手段によって音声で知らせる請求項１または３記載の健康診断ネットワークシステム。
【請求項５】
前記患者端末と、二次電池を有する前記バイタルセンサーが有線で接続されている状態で、前記二次電池が無くなった場合に、前記患者端末から充電を行う請求項１記載の健康診断ネットワークシステム。
【請求項６】
請求項１〜５のいずれか１項記載の健康診断ネットワークシステムの手段の少なくとも一部をコンピューターに実行させるためのプログラム。
【発明の詳細な説明】
【技術分野】
【０００１】
本発明は、医者や看護師などの医療関係者と、在宅あるいは医療機間内の患者との間で医療情報や生体情報の交信を行う健康診断ネットワークシステムに関するものである。
【背景技術】
【０００２】
従来、電池残量に関するものとしては、電池の残り使用可能時間を推定し、使用者に報知でき、表示部には算出した残り使用可能時間（通話可能時間、待受可能時間）、前回の充電完了日時、電池使用時間（通話時間、待受時間）などを電源ＯＮ時のポップアップ画面などによって表示するようなものが考案されている（例えば特許文献１参照）。
【特許文献１】特開２００３−１０１４６６号公報
【発明の開示】
【発明が解決しようとする課題】
【０００３】
しかしながら、従来の電池残量に関するものにおいては、前回の充電完了日時や、電池使用時間（通話時間、待受時間）などを電源ＯＮ時のポップアップ画面などによって表示するのみであり、電池が無くなった時の動作については言及されておらず、また電池切れの際、どのような振る舞いをするのかについては明確に言及されていなかった。
【０００４】
また、バイタルセンサー端子部などを備えた患者端末では、バイタルセンサーに電池が無くなった場合、バイタルセンサー本体の小さな表示装置で表示を行うか、表示装置を備えていないバイタルセンサーでは、動作しなくなったことをもって電池切れとして判断せざるを得ないという問題があった。
【０００５】
本発明は、従来の問題を解決するためになされたもので、患者端末にバイタルセンサー端子部または、無線送受信部を設け、バイタルセンサーとケーブル、または、無線によってバイタルデータの通信を行う。そして、電池駆動のバイタルセンサーにおいて、電池が無くなりそうな場合、バイタルセンサー本体からその情報を患者端末へ送信し、前記患者端末の表示装置や、音声によって報知し、電池交換を促すことのできる健康診断ネットワークシステムを提供することを目的とする。
【課題を解決するための手段】
【０００６】
本発明の請求項１にかかる健康診断ネットワークシステムは、血圧、体温などの生体情報を測定する電池駆動のバイタルセンサーと、バイタル情報を管理する患者端末と、医師が前記生体情報を閲覧して診断に供するための医師端末とから構成され、前記患者端末と、前記医師端末の双方の端末から転送された情報を蓄積するセンターサーバーを介して通信ネットワークで接続する健康診断ネットワークシステムであって、前記患者端末にはバイタルセンサー端子部を備え、電池が無くなりそうな場合に、前記バイタルセンサーとバイタルデータの通信を行う際、前記バイタルセンサーから電池残量情報を伝送手段を用いて前記患者端末へ送信し、前記患者端末の報知手段によって前記情報を報知する構成を有している。
【０００７】
この構成により、バイタルセンサーの電池が無くなりそうになっても、その旨の情報を患者端末に報知することで、患者に電池を交換する機会を与えるので、例えば次回の使用時には慌てずにバイタルセンサーを使用することが出来る。
【０００８】
本発明の請求項２にかかる健康診断ネットワークシステムは、前記患者端末にはバイタルセンサー端子部を備え、電池が無くなりそうな場合に、前記バイタルセンサーとバイタルデータの通信を行う際、前記バイタルセンサーから電池残量情報を有線、または無線を介して前記患者端末へ送信し、前記情報を表示手段によって表示、または音声出力手段によって音声で知らせる構成を有している。
【０００９】
この構成により、バイタルセンサーの電池が無くなりそうになっても、その旨の情報を患者端末の表示手段によって報知することで、視認性に優れ、また、音声によっても報知することで、表示によって気づかなかった患者にも漏れなく報知することができる。よって、これら表示・音声の二つの手段によって報知するので、電池交換報知の情報を見逃す、または、聞き漏らすということを防ぐことができる。
【００１０】
本発明の請求項３にかかる健康診断ネットワークシステムは、前記患者端末と、前記バイタルセンサーが有線で接続されている状態で、前記バイタルセンサーの電池が無くなった場合、前記バイタルセンサーの駆動電力は前記患者端末からの給電によって行う構成を有している。
【００１１】
この構成により、普段は単独で使用しているバイタルセンサーが万が一電池切れを起こしていて、すぐに電池が交換できない場合でも、患者端末本体から電源を供給することが出来るので、医師からの測定スケジュールに逆らうことなく、定刻に測定することを可能とすることができる。
【００１２】
本発明の請求項４にかかる健康診断ネットワークシステムは、前記バイタルセンサーの駆動電力は前記患者端末からの給電によって行う際、前記患者端末へ前記バイタルセンサーの電池がない旨を表示手段によって表示、または音声出力手段によって音声で知らせる構成を有している。
【００１３】
この構成により、仮に最初からバイタルセンサーを患者端末と接続していて、バイタルセンサーの電池が無いことを患者が知らなかった場合でも、給電を行う際に患者端末の表示や、音声によって知らせることが出来るので、電池交換の機会を与えることができる。
【００１４】
本発明の請求項５にかかる健康診断ネットワークシステムは、前記患者端末と、二次電池を有する前記バイタルセンサーが有線で接続されている状態で、前記二次電池が無くなった場合に、前記患者端末から充電を行う構成を有している。
【００１５】
この構成により、バイタルセンサーは二次電池を有している場合、患者端末とのバイタルデータ情報の通信の一方で、患者端末側からバイタルセンサーへ電源を供給し、バイタルセンサー内の二次電池へ充電を行うことで、次回のバイタルセンサーの使用時には患者端末の電源を借りずに電池残量を気にすることなく単独で測定をすることができる。
【００１６】
本発明の請求項６にかかるプログラムは、コンピューターを請求項１〜５のいずれか１記載の健康診断ネットワークシステムの全てもしくは一部として機能させるものである。
【００１７】
そして、プログラムであるので汎用コンピューターやサーバーを用いて本発明の健康診断ネットワークシステムの一部あるいは全てを容易に実現することができる。また記録媒体に記録したり通信回線を用いてプログラムを配信したりすることでプログラムの配布やインストール作業が簡単にできる。
【００１８】
本発明の実施の形態については、発明を実施するための最良の形態で図面を参照しながら詳細に説明する。尚、下記実施の形態によって本発明が限定されるものではない。
【発明の効果】
【００１９】
本発明は、バイタルセンサー端子部や、無線送受信部を備えた患者端末において、バイタルセンサーの電池が無くなりそうな場合、その旨を患者端末の表示装置に表示、または音声によって報知することで、患者に電池交換を促すという効果を有する健康診断ネットワークシステムを提供することができるものである。
【発明を実施するための最良の形態】
【００２０】
以下、本発明の実施の形態の健康診断ネットワークシステムについて図面を用いて説明する。
【００２１】
本発明の第１の実施の形態の健康診断ネットワークシステムを図１に示す。
【００２２】
図１において、１０１は患者端末、１０２は医師端末、１０３はセンターサーバーであり、それぞれ通信ネットワーク網１０４で接続される。また、１０５は個々の患者端末へ接続されるバイタルセンサーである。
【００２３】
患者端末１０１は、血圧計、体温計など付属のバイタルセンサー１０５と、接続するための接続バイタルセンサー端子部を備え、バイタルセンサー１０５で生体情報を測定することによって、患者の日々の健康度合いをチェックすることができると共に、測定した生体情報を通信ネットワーク網１０４を介してセンターサーバー１０３に伝送し、蓄積することができる。
【００２４】
医師端末１０２は、ブラウザ機能を有し、患者端末１０１で測定されセンターサーバー１０３に蓄積された患者の生体情報を閲覧し、診断に供することができる。また、医師は医師端末１０２から各患者に対する医療アドバイスを文章で入力すると、この内容をセンターサーバー１０３に伝送し、蓄積することができる。また、医師が医師端末１０２から患者毎に医療行為に関するスケジュール情報を入力設定すると、その内容をセンターサーバー１０３に伝送し、蓄積することができる。尚、このスケジュール情報はセンターサーバー１０３から患者端末１０１に伝送され、患者は時間管理された医療行為を行うことができる。
【００２５】
図２は本発明の一実施例を示す健康診断ネットワークシステムのハードウエア構成図である。以下、それぞれの機能の概要について説明する。
【００２６】
患者端末１０１の通信手段２０１は、センターサーバー１０３から送信されてきた情報をダウンロード、または前記患者端末１０１にて測定したバイタルデータをサーバーにアップロードするための通信手段である。情報蓄積手段Ａ２０２は前記センターサーバーからダウンロードされてきた情報を蓄積、またはバイタルセンサーの測定値などを前記センターサーバー１０３への送信前に蓄積するものである。制御手段Ａ２０３では、バイタルセンサー１０５からの測定値や、電池などの情報を制御したり、それらにおける情報を表示手段２０４や、音声出力手段２０５を用いて、表示、音声出力の制御指示を行ったり、バイタルセンサー１０５との無線データのやりとりを行う無線送受信部Ａ２０６の制御を行う。また、電源駆動手段２１２はコンセントから電源を供給し、患者端末１０１を駆動させるためのものである。
【００２７】
一方、バイタルセンサー１０５側では、患者端末１０１のバイタルセンサー端子部２０７から有線接続され、制御手段Ｂ２０８において、バイタルデータ情報を蓄積している情報蓄積手段Ｂ２１１の情報の制御を行う。また前記制御手段Ｂ２０８では、前記患者端末１０１の無線送受信部Ａ２０６と無線通信を行う無線送受信部Ｂ２１０の制御を行い、またバイタルセンサー１０５の電池情報を制御するため、電池駆動手段２０９から制御指示を受けたり、制御指示を送信することを行う。
【００２８】
図３は患者端末１０１とバイタルセンサー１０５間の電池に関わる請求項１または２に記載の制御におけるフローチャートである。
【００２９】
まず、測定に使用していたバイタルセンサー１０５の電池残量が少なくなった場合（図３のＳ０１）、情報蓄積手段Ｂ２１１に蓄積されているバイタルデータや、電池駆動手段２０９の電池残量少の情報は制御手段Ｂ２０８によって、有線の場合には、患者端末１０１のバイタルセンサー端子部２０７を介して、制御手段Ａ２０３へ送信（図３のＳ０２）される。一方、無線の場合には、前記情報は制御手段Ｂ２０８によって、無線送受信部Ｂ２１０から無線で患者端末１０１の無線送受信部Ａ２０６へ送信（図３のＳ０２）され、制御手段Ａ２０３へ通知される。
【００３０】
前記情報を受信（図３のＳ０３）した患者端末１０１の制御手段Ａ２０３では、画面によって電池残量の情報を通知する場合には、制御手段Ａ２０３から画面制御指示aを表示手段２０４へ送ることによって、表示によって報知（図３のＳ０４）することとなる。一方、音声によって電池残量の情報を通知する場合には、制御手段Ａ２０３から警報制御指示bを音声出力手段２０５へ送ることによって、音声によって報知（図３のＳ０５）することとなる。
【００３１】
以上のように、バイタルセンサーの電池が無くなりそうになっても、前記バイタルセンサー１０５とバイタルデータの通信を行う際、前記バイタルセンサーから電池残量情報を伝送手段（有線、または無線）を用いて前記患者端末１０１へ送信し、その旨の情報を患者端末の表示手段２０４によって報知することで、視認性に優れ、また、音声出力手段２０５によっても報知することで、表示によって気づかなかった患者にも漏れなく報知することができる。よって、これら表示・音声の二つの手段によって図６の表示画面Ａ６０１のように報知するので、電池交換報知の情報を見逃す、または、聞き漏らすということを防ぐことができ、患者に電池を交換する機会を与えるので、例えば次回の使用時には慌てることなくバイタルセンサーを使用することが出来る。
【００３２】
図４は患者端末１０１とバイタルセンサー１０５間の電池に関わる請求項３または４に記載の制御におけるフローチャートである。
【００３３】
まず、測定に使用していたバイタルセンサー１０５の電池残量が無くなった場合（図４のＳ０１）、電池駆動手段２０９の電池残量無しの情報は制御手段Ｂ２０８によって、患者端末１０１のバイタルセンサー端子部２０７を介して、制御手段Ａ２０３へ送信（図４のＳ０２）される。前記制御手段Ａ２０３は電源をバイタルセンサー１０５へ給電するため、電源駆動手段２１２から電源を供給し、バイタルセンサー２０７を介して、バイタルセンサー１０５の制御手段Ｂ２０８によって、電源供給（図４のＳ０３）を行う。
【００３４】
前記電池残量無し情報を受信（図４のＳ０１）した患者端末１０１の制御手段Ａ２０３では、画面によって電池残量の情報を通知（図４のＳ０４）する場合には、制御手段Ａ２０３から画面制御指示aを表示手段２０４へ送ることによって、表示によって報知（図４のＳ０５）することとなる。一方、音声によって電池残量の情報を通知する場合には、制御手段Ａ２０３から警報制御指示bを音声出力手段２０５へ送ることによって、音声によって通知（図４のＳ０６）することとなる。
【００３５】
以上のように、普段は単独で使用しているバイタルセンサー１０５が万が一電池切れを起こしていて、すぐに電池が交換できない場合でも、患者端末１０１本体から電源を供給することが出来るので、医師からの測定スケジュールに逆らうことなく、定刻に測定することを可能とすることができる。また、仮に最初からバイタルセンサー１０５を患者端末１０１と接続していて、バイタルセンサー１０５の電池が無いことを患者が知らなかった場合でも、図６の表示画面Ｂ６０２のように給電を行う際に患者端末１０１の表示や、音声によって知らせることが出来るので、電池交換の機会を与えることができるという利点がある。
【００３６】
図５は患者端末１０１とバイタルセンサー１０５間の電池に関わる請求項５に記載の制御におけるフローチャートである。
【００３７】
ここでは、バイタルセンサー１０５の電池駆動手段２０９が二次電池である場合であり、測定に使用していたバイタルセンサー１０５の二次電池である電池駆動手段２０９の電池残量が無くなった場合（図５のＳ０１）、電池駆動手段２０９の電池残量無しの情報は制御手段Ｂ２０８によって、患者端末１０１のバイタルセンサー端子部２０７を介して、制御手段Ａ２０３へ送信（図５のＳ０２）される。前記制御手段Ａ２０３は電源をバイタルセンサー１０５へ充電するため、電源駆動手段２１２から電源を供給し、バイタルセンサー２０７を介して、バイタルセンサー１０５の制御手段Ｂ２０８によって、電源供給によって充電（図４のＳ０３）を行う。
【００３８】
前記電池残量無し情報を受信（図５のＳ０１）した患者端末１０１の制御手段Ａ２０３では、画面によって電池残量の情報を報知（図５のＳ０４）する場合には、制御手段Ａ２０３から画面制御指示aを表示手段２０４へ送ることによって、表示によって報知（図５のＳ０５）することとなる。一方、音声によって電池残量の情報を報知する場合には、制御手段Ａ２０３から警報制御指示bを音声出力手段２０５へ送ることによって、音声によって報知（図５のＳ０６）することとなる。
【００３９】
以上のように、バイタルセンサー１０５が二次電池である電池駆動手段２０９を有している場合、患者端末１０１とのバイタルデータ情報の通信の一方で、患者端末１０１側からバイタルセンサー１０５へ電源を供給し、バイタルセンサー１０５内の二次電池である電池駆動手段２０９へ充電を行う際に、図６の表示画面Ｃ６０３のように表示、または音声通知を行うことで、次回のバイタルセンサー１０５の使用時には患者端末１０５の電源を借りずに電池残量を気にすることなく単独で測定をすることができる。
【００４０】
尚、コンピューターを本実施例の健康診断ネットワークシステムの全てもしくは一部として機能させるものでもよい。そして、プログラムであるので汎用コンピューターやサーバーを用いて本発明の健康診断ネットワークシステムの一部あるいは全てを容易に実現することができる。また記録媒体に記録したり通信回線を用いてプログラムを配信したりすることでプログラムの配布やインストール作業が簡単にできる。
【産業上の利用可能性】
【００４１】
以上のように、本発明にかかる健康診断ネットワークシステムは、バイタルセンサー端子部や、無線通信部を備えた患者端末において、バイタルセンサーの電池が無くなりそうな場合、その旨を患者端末の表示装置に表示、または音声によって報知することで、患者に電池交換を促すという効果を有し、医者や看護師などの医療関係者と、在宅あるいは医療機間内の患者との間で医療情報や生体情報の交信を行う健康診断ネットワークシステムとして有用である。
【図面の簡単な説明】
【００４２】
【図１】本発明の健康診断ネットワークシステムの構成図
【図２】本発明の健康診断ネットワークシステムのハードウエア構成図
【図３】本発明の実施の形態にかかる健康診断ネットワークシステムにおける電池残量少の場合の動作説明のためのフローチャート
【図４】本発明の実施の形態にかかる健康診断ネットワークシステムにおける電池残量無しの場合の動作説明のためのフローチャート
【図５】本発明の実施の形態にかかる健康診断ネットワークシステムにおける二次電池充電の動作説明のためのフローチャート
【図６】本発明の実施の形態にかかる患者端末の表示画面例を示す図
【符号の説明】
【００４３】
１０１    患者端末
１０２    医師端末
１０３    センターサーバー
１０４    通信ネットワーク網
１０５    バイタルセンサー
２０１    通信手段
２０２    情報蓄積手段Ａ
２０３    制御手段Ａ
２０４    表示手段
２０５    音声出力手段
２０６    無線送受信部Ａ
２０７    バイタルセンサー端子部
２０８    制御手段Ｂ
２０９    電池駆動手段
２１０    無線送受信部Ｂ
２１１    情報蓄積手段Ｂ
２１２    電源駆動手段
６０１    表示画面Ａ
６０２    表示画面Ｂ
６０３    表示画面Ｃ
【図１】
2008194358.tif 000003
【図２】
2008194358.tif 000004
【図３】
2008194358.tif 000005
【図４】
2008194358.tif 000006
【図５】
2008194358.tif 000007
【図６】
2008194358.tif 000008